(57)【特許請求の範囲】
【請求項１】
ポータブル撮影機器をスポーツ用具との衝突から保護するための撮影機器保護具であって、
前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部（避雷のみを目的とするものを除く）と、
前記衝突防止部を三脚又はペットボトルに着脱可能な設置手段と、
を具備することを特徴とする撮影機器保護具。
【請求項２】
前記設置手段は、前記三脚の雄ねじと螺合可能な雌ねじ又は当該雄ねじを嵌挿可能な設置用穴、又は前記ペットボトルの口部に設けられた雄ねじに螺合可能な雌ねじのいずれかを有することを特徴とする請求項１記載の撮影機器保護具。
【請求項３】
ポータブル撮影機器をスポーツ用具との衝突から保護するための撮影機器保護具であって、
前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部（避雷のみを目的とするものを除く）と、
球技用ゴールに嵌合又は挟持して着脱可能な設置手段と、
を具備することを特徴とする撮影機器保護具。
【請求項４】
ポータブル撮影機器をスポーツ用具との衝突から保護するための撮影機器保護具であって、
前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部（避雷のみを目的とするものを除く）と、
前記衝突防止部を被設置部に磁力又は弾性力によって着脱可能な設置手段（紐とクリップとからなるものを除く）と、
を具備することを特徴とする撮影機器保護具。
【請求項５】
前記衝突防止部は、折り畳み可能に形成されることを特徴とする請求項１ないし４のいずれかに記載の撮影機器保護具。
【請求項６】
前記衝突防止部の表面側に、衝突した競技者又はスポーツ用具が損傷するのを緩和する損傷防止手段を具備することを特徴とする請求項１ないし５のいずれかに記載の撮影機器保護具。
【請求項７】
前記スポーツ用具が前記衝突防止部に当たったときの振動を抑制する制震手段を具備することを特徴とする請求項１ないし６のいずれかに記載の撮影機器保護具。
【請求項８】
前記ポータブル撮影機器を前記衝突防止部に固定するための撮影機器固定手段を具備することを特徴とする請求項１ないし７のいずれかに記載の撮影機器保護具。
【請求項９】
前記衝突防止部は、前記ポータブル撮影機器を外部から操作するための操作用窓を有することを特徴とする請求項１ないし８のいずれかに記載の撮影機器保護具。
【請求項１０】
前記損傷防止手段は、衝撃を吸収する緩衝材からなることを特徴とする請求項６記載の撮影機器保護具。
【請求項１１】
前記衝突防止部は立方体又は直方体状に形成され、その頂点又は辺は曲面状に形成されることを特徴とする請求項１ないし１０のいずれかに記載の撮影機器保護具。
【請求項１２】
前記撮影用窓は、可視光を透過可能な材料で形成された透明部材が配置されていることを特徴とする請求項１ないし１１のいずれかに記載の撮影機器保護具。
【請求項１３】
前記衝突防止部は、一辺の長さが２０ｃｍの立方体内に収まる大きさに形成されることを特徴とする請求項１ないし１２のいずれかに記載の撮影機器保護具。
【請求項１４】
前記衝突防止部は、質量が２．５ｋｇ以下であることを特徴とする請求項１ないし１３のいずれかに記載の撮影機器保護具。
【請求項１５】
前記衝突防止部は、可撓性があり、内部に前記空間を有する浮き輪状又はエアクッション状のものであることを特徴とする請求項１ないし１４のいずれかに記載の撮影機器保護具。
【請求項１６】
前記衝突防止部は、複数の空気室からなることを特徴とする請求項１５記載の撮影機器保護具。
【請求項１７】
前記空気室は、空気室間に連通孔又は連通路が設けられていることを特徴とする請求項１６記載の撮影機器保護具。
【発明の詳細な説明】
【技術分野】
【０００１】
本発明は、ポータブル撮影機器をスポーツ用具との衝突から保護するための撮影機器保護具に関する。
【背景技術】
【０００２】
フットサル等のスポーツにおいては、そのプレーをビデオカメラやカメラ等のポータブル撮影機器を用いて撮影したいというニーズがある。
【０００３】
しかしながら、ポータブル撮影機器を三脚等に固定して撮影しながらプレーをしていると、ボール等のスポーツ用具が誤ってポータブル撮影機器に当たり、高価なポータブル撮影機器を破損するという危険性がある。また、例えば、フットサル等のゴール上部にポータブル撮影機器を配置すれば、シュートシーン等をより迫力のある形で撮影することもできるが、ゴール付近にはボールが飛んでくる可能性が非常に高く、ポータブル撮影機器を破損する可能性は更に高くなる。
【０００４】
ここで従来、監視カメラを収容するかご状の容器がある（例えば、特許文献１参照）。
【０００５】
【特許文献１】特開２００１−１９４７２２
【発明の開示】
【発明が解決しようとする課題】
【０００６】
しかしながら、これは避雷のみを目的とするものであり、ポータブル撮影機器をスポーツ用具との衝突から保護することを目的とする撮影機器保護具というものは存在しなかった。
また、監視カメラのような分野においては、通常当該カメラを運搬するということがなく、大きさや重さ等の可搬性は全く考慮されていない。また、監視カメラのようなものは簡単に取り外されてはいけないものであるため、ボルトとナットのようなもので壁や天井に強固に固定されている。
一方、ポータブル撮影機器は、スポーツ用バッグ等に入れて持ち運ぶ必要がある。また、ポータブル撮影機器は、スポーツ施設等の適当な位置に設置して用いるが、このような施設にはボルトやナットを用いることができる壁や天井のようなものがないことも多い。また、そのような壁や天井があったとしても、当該壁や天井に穴を空けるということは許されない。
更に、スポーツ施設は一般的に時間貸しであるため、速やかに取り付け取り外しを行う必要もあるが、ボルトとナットによる取り付けは時間が掛かる他、取り付けるための工具も運搬しなければならないという問題もある。
【０００７】
そこで本発明は、工具を用いずに簡易に設置でき、スポーツ用具との衝突からポータブル撮影機器を保護することができる撮影機器保護具を提供することを目的とする。
【課題を解決するための手段】
【０００８】
上記目的を達成するために、本発明の撮影機器保護具は、ポータブル撮影機器をスポーツ用具との衝突から保護するためのものであって、前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部と、前記衝突防止部を三脚又はペットボトルに着脱可能な設置手段と、を具備することを特徴とする。
【０００９】
この場合、前記設置手段は、前記三脚の雄ねじと螺合可能な雌ねじ又は当該雄ねじを嵌挿可能な設置用穴、又は前記ペットボトルの口部に設けられた雄ねじに螺合可能な雌ねじのいずれかを有するものである方が好ましい。
【００１０】
また、本発明の撮影機器保護具は、ポータブル撮影機器をスポーツ用具との衝突から保護するためのものであって、前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部と、球技用ゴールに嵌合又は挟持して着脱可能な設置手段と、を具備することを特徴とする。
【００１１】
また、本発明の撮影機器保護具は、ポータブル撮影機器をスポーツ用具との衝突から保護するためのものであって、前記ポータブル撮影機器が撮影するための視野を確保可能な撮影用窓を有し、前記ポータブル撮影機器との間に空間を形成し、前記スポーツ用具が衝突しても、前記ポータブル撮影機器との間に当該スポーツ用具がポータブル撮影機器と衝突するのを防止できる一定の空間を維持できる衝突防止部と、前記衝突防止部を被設置部に磁力又は弾性力によって着脱可能な設置手段と、を具備することを特徴とする。
【００１２】
前記衝突防止部は、折り畳み可能に形成される方が好ましい。また、前記衝突防止部の表面側に、衝突した競技者又はスポーツ用具が損傷するのを緩和する損傷防止手段を具備する方が好ましい。この場合、前記損傷防止手段は、衝撃を吸収する緩衝材で形成すれば良い。また、前記スポーツ用具が前記衝突防止部に当たったときの振動を抑制する制震手段を具備する方が好ましい。また、前記ポータブル撮影機器を前記衝突防止部に固定するための撮影機器固定手段を具備する方が好ましい。また、前記衝突防止部は、前記ポータブル撮影機器を外部から操作するための操作用窓を有していても良い。また、前記衝突防止部は立方体又は直方体状に形成され、その頂点又は辺は曲面状に形成される方が良い。また、前記撮影用窓は、可視光を透過可能な材料で形成された透明部材が配置されていても良い。また、前記衝突防止部は、一辺の長さが２０ｃｍの立方体内に収まる大きさに形成される方が好ましい。また、前記衝突防止部は、質量が２．５ｋｇ以下である方が好ましい。
【００１３】
また、前記衝突防止部は、可撓性があり、内部に前記空間を有する浮き輪状又はエアクッション状のものである方が好ましい。この場合、前記衝突防止部は、複数の空気室からなる方が良い。また、前記空気室は、空気室間に連通孔又は連通路が設けられている方が良い。
【発明の効果】
【００１４】
本発明の撮影機器保護具は、撮影機器をスポーツ用具との衝突から保護するので、撮影機器を破損等することがなく、安心して撮影することができる。また、スポーツ施設等の壁や天井に工事を行う必要がなく、簡易に設置することができる。
【図面の簡単な説明】
【００１５】
【図１】本発明の撮影機器保護具を示す斜視図である。
【図２】ポータブル撮影機器を取り付けた状態の撮影機器保護具を示す斜視図である。
【図３】三脚に取り付けた本発明の撮影機器保護具を示す斜視図である。
【図４】本発明の別の撮影機器保護具を示す斜視図である。
【図５】本発明の更に別の撮影機器保護具を示す斜視図である。
【図６】図５の撮影機器保護具を下側から見た斜視図である。
【図７】図５の撮影機器保護具を開いた状態の斜視図である。
【図８】本発明に係る設置手段を示す斜視図である。
【図９】本発明に係る別の設置手段を示す斜視図である。
【発明を実施するための形態】
【００１６】
本発明の撮影機器保護具は、ポータブル撮影機器50を飛来する等するスポーツ用具との衝突から保護するためのものであって、撮影用窓11を有し、スポーツ用具がポータブル撮影機器50と衝突するのを防止する衝突防止部１と、衝突防止部１を所望の位置に設置するための設置手段３と、で主に構成される。
【００１７】
ここでポータブル撮影機器50とは、家庭用ビデオカメラやカメラ等の動画又は静止画を記録するための機器であって可搬性のあるものを指す。したがって、動画や静止画を記録可能な携帯電話やスマートフォン、タブレットなども含まれるが、監視用カメラ等の可搬性のないものは除かれる。
【００１８】
また、スポーツ用具とは、球技用のボール等のスポーツに用いる道具一般を意味する。例えば、フットサルやサッカー、野球、バスケットボール、バレーボール、ラグビー、テニス、ゴルフ、卓球等に用いられるボールがある。また、シューズやヘルメット、バット、グローブ、ラケット、クラブ等の道具がある。
【００１９】
衝突防止部１は、図１に示すように、ポータブル撮影機器50が撮影するための撮影用窓11を有し、ポータブル撮影機器50との間に空間を形成してスポーツ用具がポータブル撮影機器50と衝突するのを防止するものである。特許文献１に記載のような避雷目的のものは除かれる。当該空間は、衝突防止部１の強度を考慮して、スポーツ用具が衝突防止部１と衝突しても、撮影機器50に衝突時の力が加わるのを防止又は抑制することができる大きさに設計される。換言すると、衝突防止部１は、スポーツ用具が衝突防止部１と衝突しても、スポーツ用具がポータブル撮影機器と衝突するのを防止できる一定の空間を維持できるように形成される。空間の大きさは、衝突防止部１の形状や材質によって適宜設計されるが、例えば、衝突防止部１を厚さ１．５ｍｍのアルミニウム板で囲う場合には、アルミニウム板とポータブル撮影機器50との間を１ｃｍ程度空ければ良い。
【００２０】
当該衝突防止部１は、少なくともポータブル撮影機器50に対しスポーツ用具が飛んでくる方向に配置されればどのようなものでも良く、図１〜図３に示すカゴ状のものや、図４、図５に示す箱状のものの他、ネット状のもの、壁状のもの、フェンス状のものなどが該当する。また、これらを組み合わせたものでも良い。不測の事態を考慮するとポータブル撮影機器50をこれらが内包する形状の方が好ましい。衝突防止部１としては、スポーツ用具が衝突したときの衝撃に耐えることができる剛性を有するものが良く、例えば金属製のものや樹脂製のものを用いることができる。
【００２１】
また、スポーツ用具が衝突したときの衝撃を吸収できるゴム製や樹脂製のものや、可撓性のある浮き輪状又はエアクッション状のものでも良い。このようなものは、後述する制震手段や損傷防止手段も兼ねることができる点で優れている。なお、衝突防止部１を可撓性のある浮き輪状又はエアクッション状に形成する場合には、図５〜図７に示すように、衝突防止部１は複数の空気室18を有するように形成する方が好ましい。空気室18を複数形成することで、各空気室18の強度を上げることができる他、スポーツ用具が衝突した際に空気室18の一つが破損しても、衝突防止部１全体が潰れるのを防止することができる。
【００２２】
また、衝突防止部１は、ネットのように剛性の低く、スポーツ用具が衝突した時に変形するものであっても、ポータブル撮影機器50にスポーツ用具が接触しないだけの空間が維持できれば問題ない。なお、撮影機器50に衝突時の力が加わるのを防止又は抑制することができる空間を形成できれば、衝突防止部１の一部が前記ポータブル撮影機器50と接触していても構わない。したがって、例えば、衝突防止部１を可撓性のある浮き輪状又はエアクッション状とし、その内側が撮影機器50を包み込んで接触するようなものでも構わない（図５〜図７参照）。
【００２３】
また、カゴ状のものやネット状のもの、フェンス状のもののように、衝突防止部１に隙間が空いていても良いが、当該隙間は、少なくともスポーツ用具が通り抜けることができない大きさに形成される。例えば、ポータブル撮影機器50をフットサルの撮影に用いる場合、フットサル用のボールは直径が約２０ｃｍであるため、衝突防止部１に形成されている隙間の形状が図２に示すような矩形の場合、四角形の一辺を少なくとも２０ｃｍ未満に形成するのが良く、ボールの変形量を考慮すれば１５ｃｍ以下に形成するのが良い。また、隙間が円状の場合には、直径を２０ｃｍ未満に形成するのが良く、ボールの変形量を考慮すれば１５ｃｍ以下に形成するのが良い。
【００２４】
また、撮影機器保護具は持ち運ぶ必要や設置場所の確保のためには、あまり大きすぎるのは好ましくない。一般的な三脚の脚を最も開いたときの大きさが約９０ｃｍであるため、三脚とのバランスを考慮すると、衝突防止部１は、一辺の長さが４５ｃｍの立方体内に収まる大きさに形成される方が好ましい。更に、一般的なスポーツバッグの大きさや可搬性を考慮すると、衝突防止部１は、一辺の長さが２０ｃｍの立方体内に収まる大きさに形成される方が好ましい。
【００２５】
また、衝突防止部１は、持ち運びに便利なように、折り畳み可能に形成される方が好ましい。衝突防止部１がネット状のものは、この点容易に折り畳むことができるので好ましい。また、衝突防止部１が浮き輪状又はエアクッション状のものである場合には、図６に示すように、内部の空気を給排するための空気給排口19を設ければ良い。これにより、使用時には当該空気給排口19から空気を入れて膨らませて用い、運搬時や不使用時には当該空気給排口19から空気を排気して折り畳むことができる。なお、上述したように、衝突部１に空気室18を複数設ける場合には、各空気室18の間の壁に各空気室18の間を空気が行き来できる連通孔又は連通路を設けても良い。これにより、空気室18へ空気を入れるための空気給排口19を一つ設けるだけで、全体を膨らませることができる。なお、連通孔や連通路が十分小さければ、衝突防止部１にスポーツ用具が衝突しても、空気室18内の空気は連通孔や連通路から他の空気室へ急激に流れることはできない。したがって、上述した各空気室18の強度を上げることができる効果や、スポーツ用具が衝突した際に空気室18の一つが破損しても、衝突防止部１全体が潰れるのを防止する効果は維持できる。
【００２６】
また、衝突防止部１を剛性のある材料で形成する場合には、衝突防止部１を構成する構成部材同士を折り畳み可能な折り畳み手段を配置する。例えば衝突防止部１を６面体状に構成する場合には、その六面を構成する構成部材を独立して形成し、当該構成部材を蝶番等の折り畳み手段で連結し展開可能に形成すれば良い。もちろん、衝突防止部１を折り畳むことができれば、その他の種々の方法を用いることができる。また、折り畳み手段は、スポーツ用具の衝突によって破損することのない強度を有するものが用いられる。できればスポーツ用具が衝突したときの衝撃に耐えることができる剛性を有するものが良く、例えば金属製のものや樹脂製のものを用いることができる。また、スポーツ用具が衝突したときの衝撃を吸収できるゴム製のものでも良い。
【００２７】
また、撮影機器保護具は持ち運ぶ必要があるため、あまり重すぎるのも好ましくない。したがって、衝突防止部１は、強度と可搬性の両方を考慮して設計される。一般的な三脚やスポーツバッグの耐荷重および可搬性（例えば、可搬性を考慮されたノートパソコンの重さ等）を考慮すると、衝突防止部１の重さは３ｋｇ以下、好ましくは２．５ｋｇ以下、更に好ましくは２ｋｇ以下、更に好ましくは１．５ｋｇ以下、更に好ましくは１ｋｇ以下、更に好ましくは０．５ｋｇ以下、更に好ましくは０．２５ｋｇ以下が良い。例えば、一辺が２０ｃｍで厚みが１．５ｍｍの板を４枚組み合わせて立方体とした衝突防止部１を形成する場合を計算すると、板が鉄の場合には比重が７．８７４ｇ／ｃｍ３であるから、２０×２０×０．１５×７．８７４×４＝１８９０となり、２ｋｇ以下で形成することができる。また、板の厚みが１ｍｍの場合には、２０×２０×０．１×７．８７４×４＝１２６０となり、１．５ｋｇ以下で形成することができる。また、板がアルミニウムの場合、アルミニウムの比重が２．７ｇ／ｃｍ３であるから、２０×２０×０．１５×２．７×４＝６４８となり、１ｋｇ以下で形成することができる。また、厚みが１ｍｍの場合には、２０×２０×０．１×２．７×４＝４３２となり、０．５ｋｇ以下で形成することができる。また、衝突防止部１を樹脂製の浮き輪状やエアクッション状とすれば、０．２５ｋｇ以下で形成することも可能である。
【００２８】
また、衝突防止部１には、ポータブル撮影機器が撮影するための視野を確保可能な大きさの撮影用窓11が設けられる。ここで、撮影するための視野を確保可能な大きさとは、ポータブル撮影機器で撮影をした場合に、撮影した映像内に衝突防止部１の一部が映り込まない大きさという意味である。したがって、当該撮影用窓11は、ある一定以上の大きさが求められるが、その一方で、スポーツ用具とポータブル撮影機器との衝突を防止する観点からは、スポーツ用具が通り抜けることができない大きさ以下に形成される方が好ましい。例えば、正方形の撮影用窓11を設ける場合には、フットサル用のボールは直径が約２０ｃｍであるため、正方形の一辺が少なくとも２０ｃｍ未満に形成される。また、円状の撮影用窓11を設ける場合には、直径が２０ｃｍ未満に形成される。ただし、テニスボールやゴルフボール等の比較的小さいボールを用いる球技の場合のように、撮影用窓11をスポーツ用具が通り抜けることができない大きさに形成すると、ポータブル撮影機器50が撮影するための視野を確保することが困難な場合もある。この場合は、撮影用窓11に可視光を透過可能な材料であってスポーツ用具との衝突で破損しない強度を有する透明部材を配置しても良い。透明部材としては、例えば、ガラス製のものや樹脂製のものを用いることができる。
【００２９】
また、衝突防止部１は、ポータブル撮影機器50を外部から操作するための操作用窓12を更に有していても良い。ポータブル撮影機器50の操作部は、通常ポータブル撮影機器50のレンズ側とは逆側に設けられていることが多い。したがって、操作用窓12は、撮影用窓11とは対向する位置又は対向する位置の側部に設けるのが良い。また、当該操作用窓12も、スポーツ用具が通り抜けることができない大きさに形成される方が好ましい。例えば、ポータブル撮影機器50をフットサルの撮影に用いる場合、フットサル用のボールは直径が約２０ｃｍであるため、隙間の形状が矩形の場合、四角形の一辺を少なくとも２０ｃｍ未満に形成するのが良く、ボールの変形量を考慮すれば１５ｃｍ以下に形成するのが良い。また、隙間が円状の場合には、直径を２０ｃｍ未満に形成するのが良く、ボールの変形量を考慮すれば１５ｃｍ以下に形成するのが良い。
【００３０】
また、衝突防止部１を開閉可能に形成してもよい。これにより、ポータブル撮影機器50の操作や設置を容易に行うことができる。例えば、図７に示すように、衝突防止部１を二つの部材から構成し、部材同士の端部に開閉部33を設けて開閉可能とし、逆側の端部にそれぞれフック面を有する面ファスナー34と、ループ面を有する面ファスナー35とを形成して着脱可能とすれば良い。着脱手段は、面ファスナー以外のものでも良く、例えばボタンと当該ボタンを引っ掛けるための環状部を設ける物でもよい。
【００３１】
設置手段３は、衝突防止部１を撮影場所の任意の位置に設置するためのものである。この場合、スポーツ施設の設置物に穴などを空ける工事は行うことができないため、設置手段３には、スポーツ施設の設置物を損傷しない方法で設置できる構造が必要である。したがって、設置手段３には、衝突防止部１を（１）三脚又はペットボトルに着脱可能な設置手段、又は（２）球技用ゴールに嵌合又は挟持して着脱可能な設置手段、又は（３）被設置部に磁力によって着脱可能な設置手段、又は（４）被設置部に弾性力によって着脱可能な設置手段のいずれか１以上が適用される。
【００３２】
（１）衝突防止部を三脚又はペットボトルに着脱可能な設置手段
三脚51には、家庭用ビデオカメラ等のポータブル撮影機器と螺合するための雄ねじが設けられている。したがって、設置手段３は、図１に示すように、三脚51の雄ねじに螺合可能な雌ねじ30を有する構成とすれば良い。
【００３３】
また、設置手段３は、図６、図７に示すように、三脚の雄ねじを嵌挿可能な設置用穴31を有する構成とし、三脚の雄ねじを当該設置用穴31に通してポータブル撮影機器の雌ねじと螺合し、三脚とポータブル撮影機器の間に挟み込むようにして設置しても良い。この場合、設置手段３は三脚の雄ねじとポータブル撮影機器の雌ねじが螺合可能な厚みで形成される。また、三脚51には、ポータブル撮影機器の係止用穴と係合し当該ポータブル撮影機器が回転するのを防止する突起部がある。したがって、設置手段３には、当該突起部に係合する係止用穴32を更に設けても良い。また、設置用穴31、係止用穴32が設けられる部分の厚みが薄い場合や、材質が柔らかい樹脂やゴムの場合には、設置用穴31、係止用穴32が破損しないようにハトメ等で補強する方が好ましい。更に、設置手段３には、ポータブル撮影機器の雌ねじと三脚の雄ねじの位置を簡単に合わせることができるように、ポータブル撮影機器を設置手段３の適切な位置で動かないように規制する位置指示部を設けても良い。また、位置指示部は立体的又は平面的な目印でも構わない。
【００３４】
また、ペットボトルには、口部にペットボトルの蓋と螺合するための雄ねじが設けられている。したがって、設置手段３は、当該雄ねじに螺合可能な雌ねじを有する構成とすれば良い。
【００３５】
また、上記説明では、三脚51やペットボトルの雄ねじを利用しているが、設置手段３はこれに限定されるものではなく、三脚51の脚やペットボトルの容器自体に着脱可能なものでも良い。着脱は、三脚51の脚やペットボトルの容器に嵌合したり、挟持したり、面ファスナーで接着したり、雌ねじと雄ねじで螺合する等の方法を用いることができる。設置手段３としてねじを用いる場合には、ドライバーやスパナ等の工具を不要とするために、雄ねじ又は雌ねじの頭側に当該ねじを手で回すことができる把持部を有する方が良い。
【００３６】
（２）衝突防止部を球技用ゴールに嵌合又は挟持して着脱可能な設置手段
フットサルやサッカー、バスケットボール等を行う施設には、球技用ゴールが設けられている。したがって、当該球技用ゴールに嵌合又は挟持して着脱可能な設置手段を設ければ良い。例えば図８に示すように、設置手段を球技用ゴールのバーに嵌合可能なコ字状に形成したり、２つの構成部材で球技用ゴールのバーを挟み、雌ねじと雄ねじで螺合する等によって挟持するものを用いたりすることができる。設置手段の球技用ゴールと嵌合させる嵌合部は、ばねやゴム等の弾性部材により球技用ゴールの大きさに応じて大きさを調節できる可変手段を設けても良い。また、ねじを用いる場合には、ドライバーやスパナ等の工具を不要とするために、雄ねじ又は雌ねじの頭側に当該ねじを手で回すことができる把持部を有する方が良い。
【００３７】
（３）被設置部に衝突防止部を磁力によって着脱可能な設置手段
例えば図９に示すように、設置手段を、磁石39と強磁性体38、あるいは磁石のＳ極とＮ極の組み合わせのような互いに磁力の働く２つの構成部材を有するものとし、当該２つの構成部材間に働く磁力によってスポーツ施設の設置物（例えば、球技用ゴールのバー）や三脚、ペットボトル等の任意の被設置部を挟持又は嵌合するものとすれば良い。当該構成部材の形状は２つの構成部材間に磁力が働くものであればどのように構成しても良い。例えば、２つの構成部材でゴールのバーや三脚の脚、ペットボトルの容器本体を挟んで挟持又は嵌合できる穴又は窪みを有する形状とすることができる。また、２つの構成部材は一体となっているものでも構わない。更に、構成部材は被設置部の形状に合わせて変形できる可撓性のあるものを用いても良い。
【００３８】
また、被設置部が強磁性体である場合には、設置手段が磁石を有するものとし、被設置部に当該磁石の磁力により直接衝突防止部を設置できるものでも構わない。この場合も、当該構成部材の形状はどのように構成しても良く、ゴールのバーや三脚の脚の形状合わせた形状とすることができる。また、被設置部の形状に合わせて変形できる可撓性のある磁石を用いても良い。
【００３９】
なお、設置手段の磁力がポータブル撮影機器に影響を及ぼすのを防止するために、磁石とポータブル撮影機器の間は十分な距離を取るか、あるいは磁気シールドを設ける方が好ましい。
【００４０】
（４）被設置部に弾性力によって着脱可能な設置手段
例えば設置手段を、２つの挟持部材と当該構成部材間にバネやゴムの弾性力を付勢する弾性部材とで構成し、当該２つの挟持部材間に働く弾性力によってスポーツ施設の設置物や三脚、ペットボトル等の任意の被設置部を挟持するものとすれば良い。具体的には、設置手段を、弾性力を付勢可能なクリップとし、例えばゴールのバーや三脚の脚、ペットボトル等を挟持するように設置すれば良い。また、設置手段を、ペットボトルの口部より小さい穴を有するゴム製のキャップ状とし、当該穴にペットボトルの口部を差し込むようにして設置すれば良い。また逆に、設置手段の一部にペットボトルの口部よりわずかに大きい凸部を形成し、ペットボトルの口部に当該部分を差し込むようにして設置すれば良い。
【００４１】
（５）その他の設置手段
なお、設置手段の他の例としては、前記衝突防止部を球技用ゴールに固定することができる紐状のものを用いても良い。
【００４２】
なお上述した設置手段は、ネジや溶接等によって衝突防止部１に固定される独立したものでも良いが、衝突防止部１と一体に形成したものでも良い。
【００４３】
また、ポータブル撮影機器は、精密な機械であるため衝突による直接的なダメージだけでなく、衝突によって生じた震動による間接的なダメージが生じることもある。特に記憶媒体がハードディスクであるポータブル撮影機器は、震動に極めて弱い。したがって、撮影機器保護具は、スポーツ用具が衝突防止部に当たったときの振動を抑制する制震手段を更に設けても良い。
【００４４】
制震手段は、衝突防止部１とポータブル撮影機器50との間に配置すれば良い。これにより、震動がポータブル撮影機器50に伝わるのを防止することができる。また、制震手段は、衝突防止部１の外側に配置しても良い。これにより、スポーツ用具が衝突防止部１に衝突するときに発生する震動を抑えることができる。制震手段としては、スポーツ用具が衝突防止部１に当たったときの衝撃や震動のエネルギーを吸収できるものであれば、周知の材料を用いることができ、例えば、ゴム状のものやスポンジ状のもの等を用いることができる。また、気泡緩衝材やエアクッション等を用いても良い。また、これらの組み合わせでも構わない。
【００４５】
また、ポータブル撮影機器を衝突防止部に固定するための撮影機器固定手段２を更に設けても良い。例えば、家庭用ビデオカメラ等のポータブル撮影機器の多くには、三脚用の雌ねじが設けられている。したがって、図８、図９に示すように、当該雌ねじと螺合する雄ねじ21と当該雄ねじを嵌挿できる穴を有する固定用本体部とからなる撮影機器固定手段２を用いて、衝突防止部１とポータブル撮影機器とを固定すれば良い。雄ねじ21は、固定用本体部と係合して外れない構成としても構わない。また、家庭用ビデオカメラ等のポータブル撮影機器の多くには、回転するのを防止するために、三脚の突起部と係合する係止用穴が形成されている。したがって、撮影機器固定手段２には、当該係止用穴に係合する突起部22を更に設けても良い。
【００４６】
また、撮影機器固定手段２は、ポータブル撮影機器50を衝突防止部１に固定することができるものであれば他の方法でも良く、ポータブル撮影機器50を衝突防止部１に嵌合したり挟持したりして固定するものでも良い。
【００４７】
なお、撮影機器固定手段２は、ネジや溶接等によって衝突防止部１に固定される独立したものでも良いが、衝突防止部１又は設置手段３と一体に形成したものでも良い。また、撮影機器固定手段２は、ポータブル撮影機器を三脚に固定し、設置手段によって衝突防止部を三脚の脚等に固定するもののように、ポータブル撮影機器50と衝突防止部１を直接固定する必要のない場合には、撮影機器固定手段２を省略することも可能である。
【００４８】
なお、衝突防止部に競技者やスポーツ用具が衝突すると、当該競技者が損傷したり、スポーツ用具が破損したりする原因となる。したがって、安全の確保が必要となる。そこで、例えば、衝突防止部が立方体又は直方体状に形成される場合、その頂点及び辺は曲面状に形成する方が好ましい。また、衝突防止部の表面側に、衝突した競技者又はスポーツ用具が損傷するのを緩和する損傷防止手段を設けても良い。損傷防止手段としては、例えば、ゴムやばね等の弾性部材やエアクッションのように、衝撃を吸収する緩衝材を用いることができる。また、損傷防止手段は、上述した制震手段６と共通にしても良い。
【符号の説明】
【００４９】
１  衝突防止部
２  撮影機器固定手段
３  設置手段
11  撮影用窓
12  操作用窓
18  空気室
19  空気給排口
25  撮影機器固定部
31  設置用穴
32  係止用穴
33  開閉部
34  面ファスナー（フック面）
35  面ファスナー（ループ面）
39  磁石
50  撮影機器
51  三脚
【図１】
0005856214.tif 000002
【図２】
0005856214.tif 000003
【図３】
0005856214.tif 000004
【図４】
0005856214.tif 000005
【図５】
0005856214.tif 000006
【図６】
0005856214.tif 000007
【図７】
0005856214.tif 000008
【図８】
0005856214.tif 000009
【図９】
0005856214.tif 000010